(57)【要約】【課題】  ティンパノグラムが見易く、診断を行う際の読み間違いを防止することができるティンパノグラムの表示方法を提供する。【解決手段】  ティンパノメトリ検査で得られるティンパノグラムの表示方法であって、ティンパノメトリ検査で求めたティンパノグラムからスタティックコンプライアンスを読み取る読取工程と、この読取工程で読み取ったスタティックコンプライアンスのピークに合わせたスタティックコンプライアンスのレンジを決定するレンジ決定工程と、このレンジ決定工程で決定したスタティックコンプライアンスのレンジによりティンパノグラムを表示する表示工程と、この表示工程で表示したティンパノグラムに目安となるラインを描画する目安ライン描画工程を備えた。【選択図】        図３
2012090764.tif 000002
【特許請求の範囲】
【請求項１】
ティンパノメトリ検査で得られるティンパノグラムの表示方法であって、ティンパノメトリ検査で求めたティンパノグラムからスタティックコンプライアンスを読み取る読取工程と、この読取工程で読み取ったスタティックコンプライアンスのピークに合わせたスタティックコンプライアンスのレンジを決定するレンジ決定工程と、このレンジ決定工程で決定したスタティックコンプライアンスのレンジによりティンパノグラムを表示する表示工程と、この表示工程で表示したティンパノグラムに目安となるラインを描く目安ライン描画工程を備えたことを特徴とするティンパノグラムの表示方法。
【請求項２】
請求項１に記載のティンパノグラムの表示方法において、前記目安ライン描画工程で描く目安となるラインが、スタティックコンプライアンス（１．０ｍＬ）であることを特徴とするティンパノグラムの表示方法。
【発明の詳細な説明】
【技術分野】
【０００１】
本発明は、インピーダンスオージオメータで鼓膜や耳小骨の可動性や中耳の状態などを検査するティンパノメトリ検査で得られるティンパノグラムの表示方法に関する。
【背景技術】
【０００２】
従来、ティンパノメトリ検査で得られるティンパノグラムの表示方法としては、特許文献１や特許文献２に記載のように、診断をする際に重要な情報となるティンパノグラムの形状やピーク値（スタティックコンプライアンス）が被検者により相違する場合でも、予め決められている縦軸（スタティックコンプライアンス）のレンジ（０〜１ｍl）により、ティンパノグラムを表示することが知られている。
【先行技術文献】
【特許文献】
【０００３】
【特許文献１】特願２００１−１４９３４７号公報（図５）
【特許文献２】特開平０４−３６７６５２号公報（図６）
【発明の概要】
【発明が解決しようとする課題】
【０００４】
しかし、特許文献１や特許文献２に記載のティンパノグラムの表示方法においては、スタティックコンプライアンスのレンジが固定であるため、スタティックコンプライアンスが表示レンジを超えるような値の場合には、ティンパノグラムのピーク部分が切れてしまう。逆に、スタティックコンプライアンスが表示レンジに比して極端に小さい場合には、ティンパノグラムの波形がつぶれてピーク部分の状態が分かり難い表示になってしまう。
【０００５】
そこで、ティンパノグラムを見易くするには、測定された波形のピークに合わせて縦軸（スタティックコンプライアンス）のレンジを切り替えることが有効である。
【０００６】
本発明は、従来の技術が有するこのような問題点に鑑みてなされたものであり、その目的とするところは、ティンパノグラムが見易く、診断を行う際の読み間違いを防止することができるティンパノグラムの表示方法を提供しようとするものである。
【課題を解決するための手段】
【０００７】
上記課題を解決すべく請求項１に係る発明は、ティンパノメトリ検査で得られるティンパノグラムの表示方法であって、ティンパノメトリ検査で求めたティンパノグラムからスタティックコンプライアンスを読み取る読取工程と、この読取工程で読み取ったスタティックコンプライアンスのピークに合わせたスタティックコンプライアンスのレンジを決定するレンジ決定工程と、このレンジ決定工程で決定したスタティックコンプライアンスのレンジによりティンパノグラムを表示する表示工程と、この表示工程で表示したティンパノグラムに目安となるラインを描く目安ライン描画工程を備えたものである。
【０００８】
前記目安ライン描画工程で描く目安となるラインを、スタティックコンプライアンス（１．０ｍＬ）とすることができる。
【発明の効果】
【０００９】
請求項１に係る発明によれば、ティンパノグラムをスタティックコンプライアンスに合わせた見易いサイズにすることができる。また、測定された波形のピークに合わせてスタティックコンプライアンスのレンジが自動で切り替わるので、常に見易いティンパノグラムを自動で表示すると共に、目安となるラインにより読み取り間違いを防止することができる。
【００１０】
診断の目安となるラインを、スタティックコンプライアンス（１．０ｍＬ）とすれば、ティンパノグラムの波形やピーク値の読み取りが容易となる。
【図面の簡単な説明】
【００１１】
【図１】ティンパノグラムの説明図
【図２】本発明に係るティンパノグラムの表示方法を実施する測定装置のブロック構成図
【図３】本発明に係るティンパノグラムの表示方法の手順を示すフローチャート
【図４】本発明に係るティンパノグラムの表示方法によるティンパノグラム
【発明を実施するための形態】
【００１２】
ティンパノグラムは、図１に示すように、横軸が圧力（ｄａＰａ）、縦軸がスタティックコンプライアンス（ｍＬ）で表示される。ここで、ｄａＰａ（デカパスカル）は、圧力の国際単位Ｐａ（パスカル：１Ｎ／ｍ２）の１０倍を表わしている。等価容積（コンプライアンス）（ＣＭＰ）は、音響インピーダンス法により外耳道容積を含めた鼓膜（中耳を含む）の可動性をコンプライアンスとして測定し、それを等価容積値（ｍＬ）で表記したものである。
【００１３】
また、スタティックコンプライアンス（Ｓ．Ｃ．）は、ティンパノグラムの最大値からＰＶＴを引いた値である。ＰＶＴは、物理的容積試験（Physical Volume Test）により得られた値で、外耳道に＋２００ｄａＰａの圧力を掛けた時の容積をいう。この状態では、鼓膜の可動性が殆どなくなっていると考えられるため、＋２００ｄａＰａの圧力を掛けた時の等価容積値（コンプライアンス）（ｍＬ）は、後述するイヤプローブ３で閉じられた外耳道の容積をほぼ示している。
【００１４】
本発明に係るティンパノグラムの表示方法を実施する測定装置１は、図２に示すように、装置本体２と、装置本体２に接続されるイヤホン及びマイクロホンなどを備えたイヤプローブ３から構成される。
【００１５】
装置本体２は、音響インピーダンスを測定するためのインピーダンス測定部４、外耳道圧力をコントロールするための圧力部５、測定結果などを表示する表示部６、全体をコントロールする制御部７、操作ボタン８などからなる。９は圧力系配管、１０はプローブ端子、１１はエアチューブ端子である。
【００１６】
また、インピーダンス測定部４は、マイクロホンの出力信号を増幅する増幅器１２、イヤホンへの入力信号を増幅する増幅器１３、信号変換部１４、信号生成部１５、信号制御部１６などからなる。圧力部５は、圧力トランスジューサ１７、電磁ポンプ１８、圧力制御部１９、圧力保護装置２０などからなる。表示部６は、液晶表示器２２、プリンタ２３などからなる。
【００１７】
ティンパノメトリ検査は、イヤプローブ３を外耳道入口に押し当てて行われる。また、ティンパノメトリ検査は、イヤプローブ３により密閉された外耳道に２２６Ｈｚ、８５ｄＢ の音を入れ、その時の外耳道内の音をマイクロホンで受ける。更に、外耳道内の圧力を加圧から減圧まで連続的に変化させることにより、鼓膜の可動性を変化させ、その時の音響インピーダンスを測定する。
【００１８】
音響インピーダンスは、等価容積（コンプライアンス）で表示される。この等価容積により、鼓膜や耳小骨の可動性や中耳の状態を知ることができる。測定結果は、液晶表示器２２に表示される。ティンパノグラムの表示のほか、等価外耳道容積（ＰＶＴ）、スタティックコンプライアンス（Ｓ．Ｃ．）とその圧力値（ＰＥＡＫ）が数字で表示される。
【００１９】
以上のように構成された測定装置を用いた本発明に係るティンパノグラムの表示方法について説明する。図３に示すように、ステップＳＰ１において、測定装置１を用いて被検者に対してティンパノメトリ検査を行う（検査工程）。
【００２０】
次いで、ステップＳＰ２において、検査工程で求めたティンパノグラムからスタティックコンプライアンス（Ｓ．Ｃ．）を読み取る（読取工程）。次いで、ステップＳＰ３において、読取工程で読み取ったスタティックコンプライアンス（Ｓ．Ｃ．）のピークに合わせたスタティックコンプライアンスのレンジを決定する（レンジ決定工程）。
【００２１】
次いで、ステップＳＰ４において、レンジ決定工程で決定したスタティックコンプライアンスのレンジによりティンパノグラムを表示する（表示工程）。次いで、ステップＳＰ５において、表示工程で表示したティンパノグラムに目安となるラインを描く（目安ライン描画工程）。
【００２２】
以上の工程を経て、図４に示すようなティンパノグラム３０が得られ、液晶表示器２２により表示される。ここでは、ＰＶＴが２．４ｍＬ、スタティックコンプライアンス（Ｓ．Ｃ．）が１．７ｍＬ、ピークにおける圧力が０ｄａＰａの場合である。そして、目安となるライン３１として、スタティックコンプライアンス（１．０ｍＬ）が描かれている。
【産業上の利用可能性】
【００２３】
本発明によれば、測定された波形のピークに合わせてスタティックコンプライアンスのレンジが自動で切り替わるので、常に見易いティンパノグラムを自動で表示すると共に、目安となるラインにより読み取り間違いを防止するティンパノグラムの表示方法を提供することができる。
【符号の説明】
【００２４】
１…測定装置、２…装置本体、３…イヤプローブ、４…インピーダンス測定部、５…圧力部、６…表示部、７…制御部、８…操作ボタン。
【図１】
2012090764.tif 000003
【図２】
2012090764.tif 000004
【図３】
2012090764.tif 000005
【図４】
2012090764.tif 000006